(57)【要約】【課題】映像受像機に表示される映像データを、ネットワーク経由で、携帯端末から遠隔操作することを可能にする、映像配信サーバ、映像配信方法、および映像配信システムを提供することを目的とする。【解決手段】映像配信サーバ１と、携帯端末２と、映像受像機３とが通信ネットワーク４を介して接続される映像配信システム６において、携帯端末２の登録要求部２１１は、映像配信サーバ１に対して登録要求を行う。映像受像機３の登録要求部３１１は、携帯端末２の登録要求部２１１が映像配信サーバ１から取得した個人認証情報を用いて、映像配信サーバ１に登録する。そして、映像配信サーバ１の配信制御部１１２は、携帯端末２の表示部２５に映像データの操作画面を表示させ、携帯端末２から映像配信サーバ１が操作要求を受信し、その操作要求に応じて映像受像機３の映像データを制御する。【選択図】図１
2010166168.tif 000002
【特許請求の範囲】
【請求項１】
ＩＰ網を介して携帯端末およびＩＰＴＶと接続されるＴＶ操作用のサーバ装置であって、
前記携帯端末から、前記ＩＰ網を介して前記ＩＰＴＶの遠隔操作画面の表示要求が送信されると、記憶部に記憶している前記ＩＰＴＶの遠隔操作画面を、前記ＩＰ網を介して、前記表示要求を送信した携帯端末に送信して表示させる遠隔操作画面表示処理部と、
前記遠隔操作画面が表示された携帯端末から、当該遠隔操作画面を介して前記ＩＰＴＶの操作要求が入力され、前記ＩＰ網を介して当該入力された操作要求が送信されると、前記ＩＰ網を介して接続されている操作対象の前記ＩＰＴＶを、前記操作要求に応じて制御する操作要求処理部と、
を備えることを特徴とするＴＶ操作用のサーバ装置。
【請求項２】
どの携帯端末がどの前記ＩＰＴＶを操作対象としているのかという、前記携帯端末と前記ＩＰＴＶとが１対Ｍ（Ｍは１以上の整数）となる第１の対応関係の情報を記憶した第１の対応関係情報記憶部を備え、
前記操作要求処理部は、前記携帯端末からの１通の操作要求に対して、前記第１の対応関係の情報に基づいて、Ｍ台の前記ＩＰＴＶの制御を行うこと、
を特徴とする請求項１に記載のＴＶ操作用のサーバ装置。
【請求項３】
どのＩＰＴＶがどの携帯端末により操作対象とされているのかという、前記ＩＰＴＶと前記携帯端末とが１対Ｎ（Ｎは1以上の整数）となる第２の対応関係の情報を記憶した第２の対応関係情報記憶部を備え、
前記操作要求処理部は、前記携帯端末からの操作要求に対して、前記第２の対応関係の情報に基づいて、１台の前記ＩＰＴＶの制御を行うこと、
を特徴とする請求項１に記載のＴＶ操作用のサーバ装置。
【請求項４】
前記操作要求処理部は、前記ＩＰＴＶに操作対象としている端末装置を、前記操作対象となっているＩＰＴＶに表示させること、
を特徴とする請求項３に記載のＴＶ操作用のサーバ装置。
【請求項５】
ネットワークを介した通信機能を備える映像受像機および映像端末に対して、前記ネットワークを介して映像を配信する映像配信サーバであって、
前記ネットワークを介して情報の送受信を行う通信部と、
（１）前記配信される映像である動画データ並びに前記動画データに固有な映像ＩＤおよび映像タイトルを含む映像情報が相互に紐付けられて格納される映像情報データベース、（２）ユーザを一意に特定する個人認証情報と、前記携帯端末に固有な携帯端末ＩＤとを含む個人登録情報が相互に紐付けられて格納される個人登録情報データベース、および（３）前記映像受像機に固有な受像機ＩＤが、前記個人認証情報に紐付けられて格納される受像機情報データベース、が記憶される記憶部と、
前記携帯端末から前記通信部を介して取得した登録要求情報に基づいて、前記ユーザごとの前記個人認証情報を生成し、前記携帯端末に前記生成した個人認証情報を前記通信部を介して送信し、
さらに、前記送信された個人認証情報を含む登録要求情報を前記映像受像機から取得すると、前記取得した登録要求情報に含まれる個人認証情報を、前記映像受像機に固有な受像機ＩＤに紐付けて前記受像機情報データベースに登録する登録・認証部と、
前記送信された個人認証情報を含む映像配信要求情報を前記携帯端末から取得すると、前記取得した映像配信要求情報に含まれる個人認証情報を検索キーとして、前記受像機情報データベースを検索し、該当したレコードの受像機ＩＤを取得し、前記取得した受像機ＩＤが特定する前記映像受像機に対して前記動画データを配信する配信制御部と、
を備えることを特徴とする映像配信サーバ。
【請求項６】
前記映像配信サーバの前記記憶部は、
前記動画データとともに配信される広告映像データ並びに前記広告映像データに固有な広告ＩＤおよび前記広告映像データの広告内容を示すキーワードを含む広告情報が、相互に紐付けられて格納される広告情報データベースを、さらに備え、
前記個人登録情報データベースは、
前記個人認証情報に紐付けて、さらに前記ユーザの属性情報を含み、
前記配信制御部は、
前記携帯端末から前記通信部を介して前記映像配信要求情報を取得すると、
前記取得した映像配信要求情報に含まれる前記個人認証情報を検索キーとして、前記個人登録情報データベースを検索し、該当したレコードにおける前記ユーザの属性情報を取得し、
前記取得したユーザの属性情報を検索キーとして、前記広告情報データベースを検索し、前記キーワードが前記ユーザの属性情報と適合するレコードの前記広告ＩＤを取得し、
前記取得した広告ＩＤが特定する前記広告映像データを、前記映像受像機に配信すること、
を特徴とする請求項５に記載の映像配信サーバ。
【請求項７】
前記映像配信サーバの前記広告情報データベースに記憶された前記広告情報は、
前記広告映像データの配信地域を特定する配信地域情報をさらに含み、
前記配信制御部は、
前記携帯端末から自身の位置情報が付加された前記映像配信要求情報を前記通信部を介して取得すると、
前記取得した映像配信要求情報に付加された前記位置情報を検索キーとして、前記広告情報データベースを検索し、前記位置情報が前記配信地域情報と適合するレコードの前記広告ＩＤを取得し、
前記取得した広告ＩＤが特定する前記広告映像データを、前記映像受像機に配信すること、
を特徴とする請求項６に記載の映像配信サーバ。
【請求項８】
前記映像配信サーバは、
前記記憶部に、前記映像受像機に配信した前記動画データおよび前記広告映像データに関する情報を記憶する視聴履歴データベースと、
前記配信制御部による前記映像受像機への前記動画データおよび前記広告映像データの配信が終了すると、前記配信した前記動画データおよび前記広告映像データを特定する視聴履歴情報を前記視聴履歴データベースに記憶する視聴履歴情報収集部と、をさらに備え、
前記配信制御部は、前記視聴履歴データベースに記憶された前記視聴履歴情報に基づいて、前記映像受像機に配信する前記広告映像データを決定すること、
を特徴とする請求項６または請求項７に記載の映像配信サーバ。
【請求項９】
前記映像配信サーバは、
前記配信制御部による前記映像受像機への前記動画データおよび前記広告映像データの配信が終了すると、前記配信した前記動画データに関する映像情報と、前記配信した広告映像データに関する広告情報とを、前記携帯端末へ送信する映像・広告情報送信部を、
さらに備えることを特徴とする請求項６ないし請求項８のいずれか１項に記載の映像配信サーバ。
【請求項１０】
ＩＰ網を介して携帯端末およびＩＰＴＶと接続されるＴＶ操作用のサーバ装置を用いた遠隔操作方法であって、
前記サーバ装置は、
前記携帯端末から、前記ＩＰ網を介して前記ＩＰＴＶの遠隔操作画面の表示要求が送信されると、記憶部に記憶している前記ＩＰＴＶの遠隔操作画面を、前記ＩＰ網を介して、前記表示要求を送信した携帯端末に送信して表示し、
前記遠隔操作画面が表示された携帯端末から、当該遠隔操作画面を介して前記ＩＰＴＶの操作要求が入力され、前記ＩＰ網を介して当該入力された操作要求が送信されると、前記ＩＰ網を介して接続されている操作対象の前記ＩＰＴＶを、前記操作要求に応じて制御すること、
を特徴とする遠隔操作方法。
【請求項１１】
ネットワークを介した通信機能を備える映像受像機および映像端末に対して、前記ネットワークを介して映像を配信する映像配信サーバを用いた映像配信方法であって、
前記映像配信サーバは、
前記ネットワークを介して情報の送受信を行う通信部と、
（１）前記配信される映像である動画データ並びに前記動画データに固有な映像ＩＤおよび映像タイトルを含む映像情報が相互に紐付けられて格納される映像情報データベース、（２）ユーザを一意に特定する個人認証情報と、前記携帯端末に固有な携帯端末ＩＤとを含む個人登録情報が相互に紐付けられて格納される個人登録情報データベース、および（３）前記映像受像機に固有な受像機ＩＤが、前記個人認証情報に紐付けられて格納される受像機情報データベース、が記憶される記憶部と、を備え、
前記携帯端末から前記通信部を介して取得した登録要求情報に基づいて、前記ユーザごとの前記個人認証情報を生成し、前記携帯端末に前記生成した個人認証情報を前記通信部を介して送信し、
さらに、前記送信された個人認証情報を含む登録要求情報を前記映像受像機から取得すると、前記取得した登録要求情報に含まれる個人認証情報を、前記映像受像機に固有な受像機ＩＤに紐付けて前記受像機情報データベースに登録し、
前記送信された個人認証情報を含む映像配信要求情報を前記携帯端末から取得すると、前記取得した映像配信要求情報に含まれる個人認証情報を検索キーとして、前記受像機情報データベースを検索し、該当したレコードの受像機ＩＤを取得し、前記取得した受像機ＩＤが特定する前記映像受像機に対して前記動画データを配信すること、
を特徴とする映像配信方法。
【請求項１２】
前記映像配信サーバの前記記憶部は、
前記動画データとともに配信される広告映像データ並びに前記広告映像データに固有な広告ＩＤおよび前記広告映像データの広告内容を示すキーワードを含む広告情報が相互に紐付けられて格納される広告情報データベースを、さらに備え、
前記個人登録情報データベースは、
前記個人認証情報に紐付けて、さらに前記ユーザの属性情報を含み、
前記映像配信サーバは、
前記携帯端末から前記通信部を介して前記映像配信要求情報を取得すると、
前記取得した映像配信要求情報に含まれる前記個人認証情報を検索キーとして、前記個人登録情報データベースを検索し、該当したレコードにおける前記ユーザの属性情報を取得し、
前記取得したユーザの属性情報を検索キーとして、前記広告情報データベースを検索し、前記キーワードが前記ユーザの属性情報と適合するレコードの前記広告ＩＤを取得し、
前記取得した広告ＩＤが特定する前記広告映像データを、前記映像受像機に配信すること、
を特徴とする請求項１１に記載の映像配信方法。
【請求項１３】
ネットワークを介した通信機能を備える映像受像機と、携帯端末と、前記映像受像機および前記映像端末に前記ネットワークを介して映像を配信する映像配信サーバとを備える映像配信システムであって、
前記映像配信サーバは、
前記ネットワークを介して情報の送受信を行う通信部と、
（１）前記配信される映像である動画データ並びに前記動画データに固有な映像ＩＤおよび映像タイトルを含む映像情報が相互に紐付けられて格納される映像情報データベース、（２）ユーザを一意に特定する個人認証情報と、前記携帯端末に固有な携帯端末ＩＤとを含む個人登録情報が相互に紐付けられて格納される個人登録情報データベース、および（３）前記映像受像機に固有な受像機ＩＤが、前記個人認証情報に紐付けられて格納される受像機情報データベース、が記憶される記憶部と、
前記携帯端末から前記通信部を介して取得した登録要求情報に基づいて、前記ユーザごとの前記個人認証情報を生成し、前記携帯端末に前記生成した個人認証情報を前記通信部を介して送信し、
さらに、前記送信された個人認証情報を含む登録要求情報を前記映像受像機から取得すると、前記取得した登録要求情報に含まれる個人認証情報を、前記映像受像機に固有な受像機ＩＤに紐付けて前記受像機情報データベースに登録する登録・認証部と、
前記送信された個人認証情報を含む映像配信要求情報を前記携帯端末から取得すると、前記取得した映像配信要求情報に含まれる個人認証情報を検索キーとして、前記受像機情報データベースを検索し、該当したレコードの受像機ＩＤを取得し、前記取得した受像機ＩＤが特定する前記映像受像機に対して前記動画データを配信する配信制御部と、
を備えることを特徴とする映像配信システム。
【請求項１４】
前記映像配信サーバの前記記憶部は、
前記動画データとともに配信される広告映像データ並びに前記広告映像データに固有な広告ＩＤおよび前記広告映像データの広告内容を示すキーワードを含む広告情報が、相互に紐付けられて格納される広告情報データベースを、さらに備え、
前記個人登録情報データベースは、
前記個人認証情報に紐付けて、さらに前記ユーザの属性情報を含み、
前記配信制御部は、
前記携帯端末から前記通信部を介して前記映像配信要求情報を取得すると、
前記取得した映像配信要求情報に含まれる前記個人認証情報を検索キーとして、前記個人登録情報データベースを検索し、該当したレコードにおける前記ユーザの属性情報を取得し、
前記取得したユーザの属性情報を検索キーとして、前記広告情報データベースを検索し、前記キーワードが前記ユーザの属性情報と適合するレコードの前記広告ＩＤを取得し、
前記取得した広告ＩＤが特定する前記広告映像データを、前記映像受像機に配信すること、
を特徴とする請求項１３に記載の映像配信システム。
【発明の詳細な説明】
【技術分野】
【０００１】
本発明は、映像配信サーバ、映像配信方法、および映像配信システムに関する。
【背景技術】
【０００２】
現在、市販されているデジタルテレビは、電波を媒体として放送されているデジタル放送を受信する放送受信機能だけでなく、インターネット等の通信ネットワークを介して、動画を受信する機能を備えている。この通信ネットワークを利用すれば、インターネット上の様々なコンテンツにアクセスすることが可能となる。そして受信した動画をデジタルテレビの画面上で視聴することが可能となる（例えば、特許文献１参照）。
【０００３】
このようなデジタルテレビ等の操作は、従来、そのデジタルテレビごとに対応し、遠隔操作が可能なリモートコントローラ（リモコン）等を用いて行われてきた。こうしたリモコンを用いて遠隔操作を行うシステムでは、ユーザは、テレビ画面等に表示された各種画面を参照しながらリモコンを操作して、テレビ受像機等の遠隔操作を行っている。  そして、このリモコンの代わりに、ユーザが普段から身近に備え持つ携帯端末を用いてテレビ受像機を遠隔操作する技術が開示されている（例えば、特許文献２参照）。
【先行技術文献】
【特許文献】
【０００４】
【特許文献１】特開２００８−２０５７８１号公報
【特許文献２】特開２００５−２２３４３８号公報
【発明の概要】
【発明が解決しようとする課題】
【０００５】
しかしながら、特許文献１に記載された技術は、映像配信サーバに記憶された映像情報の数が膨大な場合に、その膨大な映像情報から希望する動画をユーザ自身が選択しなければならず、ユーザの属性や趣味等に沿った映像情報をユーザに提示するものではない。一方、コンテンツ配信側からすると、動画配信と併せて送信する広告情報をユーザの年齢、性別、趣味、嗜好等に沿って、効果的に配信できるものではない。これは、テレビ受像機が、携帯端末等と異なり、大人から子供まで、年齢や性別、趣味嗜好の異なる複数のユーザにより使用されるため、映像を視聴する個人を特定できないことによる。
【０００６】
また、特許文献２に記載された技術は、携帯端末を用いて、テレビ受像機のテレビ画面を操作できるものである。しかし、携帯端末とテレビ受像機との間で、直接赤外線等を用いて情報の送受信を行うため、テレビ受像機の受信しているデジタル放送等のチャンネルを変更すること等は可能であっても、ネットワーク上の映像配信サーバに記憶されているような映像情報を取得し、テレビ受像機に表示させるものではない。
【０００７】
このような背景に鑑みて本発明がなされたのであり、本発明は、ＰＣ（Personal Computer）、ＩＰ（Internet Protocol）ＴＶを含む映像受像機と携帯端末とをネットワークを介して連携させることにより、映像受像機に表示される映像データを、ネットワーク経由で、携帯端末から遠隔操作することを可能にする映像配信サーバ、映像配信方法、および映像配信システムを提供することを目的とする。
【課題を解決するための手段】
【０００８】
前記課題を解決するため、本発明の映像配信サーバ、映像配信方法、および映像配信システムは、映像配信サーバと、携帯端末と、映像受像機とが通信ネットワークを介して接続されるように構成し、携帯端末の登録要求部が、映像配信サーバに対して登録要求を行い、映像配信サーバから個人認証情報を取得する。映像受像機の登録要求部は、携帯端末の登録要求部が取得した個人認証情報を用いて、映像配信サーバに受像機情報を登録する。そして、映像配信サーバの配信制御部は、携帯端末の表示部に映像データの操作画面を表示させ、携帯端末から映像配信サーバが操作要求を受信し、その操作要求に応じて映像受像機の映像データを制御することを特徴とする。
【発明の効果】
【０００９】
本発明によれば、映像受像機に表示される映像データを、ネットワーク経由で、携帯端末から遠隔操作することを可能にする、映像配信サーバ、映像配信方法、および映像配信システムを提供することができる。
【図面の簡単な説明】
【００１０】
【図１】本実施形態に係る映像配信システムの構成例を示す機能ブロック図である。
【図２】本実施形態に係る個人登録情報ＤＢ（Data Base）のデータ構成の一例を示す図である。
【図３】本実施形態に係る受像機情報ＤＢのデータ構成の一例を示す図である。
【図４】本実施形態に係る映像情報ＤＢのデータ構成の一例を示す図である。
【図５】本実施形態に係る広告情報ＤＢのデータ構成の一例を示す図である。
【図６】本実施形態に係る視聴履歴ＤＢのデータ構成の一例を示す図である。
【図７】本実施形態に係る映像配信システムの処理の流れを示すシーケンス図である。
【図８】本実施形態に係る携帯端末の表示部に表示されるユーザ（携帯端末）登録画面の一例を示す図である。
【図９】本実施形態に係る映像受像機の表示部に表示される受像機登録画面の一例を示す図である。
【図１０】本実施形態に係る携帯端末の表示部に表示される映像選択画面の一例を示す図である。
【図１１】本実施形態に係る携帯端末の表示部に表示される映像操作画面の一例を示す図である。
【図１２】本実施形態の変形例に係る映像配信システムの構成例を示す機能ブロック図である。
【図１３】本実施形態に係るメンバ登録ＤＢのデータ構成の一例を示す図である。
【図１４】本実施形態に係る携帯端末の表示部に表示される映像選択画面の変形例を示す図である。
【図１５】本実施形態の変形例に係る映像配信システムの構成例を示す機能ブロック図である。
【図１６】本実施形態に係る対応関係情報ＤＢのデータ構成例を示す図である。
【発明を実施するための形態】
【００１１】
次に、本発明を実施するための形態（「実施形態」という）について、適宜図面を参照しながら詳細に説明する。
【００１２】
（実施形態１）  
図１は、本実施形態に係る映像配信システム６（６Ａ）の構成例を示す機能ブロック図である。
映像配信システム６は、映像配信サーバ（サーバ装置）１と、携帯端末２と、映像受像機３とが、通信ネットワーク４を介して接続されている。ここで通信ネットワーク４は、インターネット等のネットワークであり、ＩＰ（Internet Protocol）に基づき制御が行われるものとして説明する。
【００１３】
（映像配信サーバ）
映像配信サーバ１は、携帯端末２からの要求により、後記する記憶部１２に記憶された動画データを、映像受像機３または携帯端末２へ配信するサーバである。また、映像配信サーバ１は、映像配信制御部１０と、通信部１１と、記憶部１２と、メモリ部１３と、入出力部１４とを含んで構成される。
【００１４】
映像配信制御部１０は、記憶部１２に記憶された動画データ等を映像受像機３または携帯端末２へ配信する制御を行い、登録・認証部１１１と、配信制御部１１２と、視聴履歴情報収集部１１３と、映像・広告情報送信部１１４とを含んで構成される。なお、この映像配信制御部１０の機能は、例えば映像配信サーバ１の記憶部１２に記憶されたプログラムをＣＰＵ（Central Processing Unit）がメモリ部１３に展開し実行することで実現される。
【００１５】
登録・認証部１１１は、携帯端末２から送信された携帯端末２の個人登録情報を受信し、記憶部１２内の後記する個人登録情報データベース（ＤＢ：Data Base）１００に記憶する。
【００１６】
図２は、本実施形態に係る記憶部１２に記憶される個人登録情報ＤＢ１００のデータ構成の一例を示す図である。
個人登録情報ＤＢ１００は、ユーザごとに固有の番号である個人ＩＤ（Identi-fication)１０１に関連付けて、パスワード１０２、携帯端末ＩＤ１０３、名前１０４、性別１０５、年齢１０６、住所１０７、趣味１０８、および視聴状態１０９を含んで構成される。ここで、携帯端末ＩＤ１０３、名前１０４、性別１０５、年齢１０６、住所１０７、および趣味１０８についての各情報は、映像配信サーバ１の登録・認証部１１１が、携帯端末２からこれらの情報が含まれる個人登録要求情報を取得し、個人登録情報ＤＢ１００に記憶するものである。また、視聴状態１０９は、個人ＩＤ１０１において特定されるユーザが、動画データの配信を受け、現在視聴しているか否かの状態を示す情報である。「１」は、ユーザが現在視聴している状態を示し、「０」は視聴していない状態を示すものであり、登録・認証部１１１は、配信制御部１１２による配信制御を監視して視聴状態１０９の変更を行う。
【００１７】
また、登録・認証部１１１は、映像配信サーバ２が設定する映像配信サイトにアクセスするのに必要な個人ＩＤ１０１とパスワード１０２とを生成し、通信部１１を介して携帯端末２に送信する制御を行う。
さらに、登録・認証部１１１は、映像受像機３から送信された受像機登録要求情報を取得し、その受像機登録要求情報に含まれる個人ＩＤ１０１およびパスワード１０２と、記憶部１２内の個人登録情報ＤＢ１００に登録された個人ＩＤ１０１およびパスワード１０２の情報とが一致するか否かの認証を行い、一致する場合には、その携帯端末２の個人ＩＤ１０１に紐付けて、受像機情報を後記する受像機情報ＤＢ２００に記憶する。
【００１８】
図３は、本実施形態に係る記憶部１２に記憶される受像機情報ＤＢ２００のデータ構成の一例を示す図である。
受像機情報ＤＢ２００は、各受像機ごとに固有の番号である受像機ＩＤ２０１に関連付けて、その映像受像機３のＩＰアドレス２０２、受像機タイプ２０３、および個人ＩＤ１０１を含んで構成される。ここで、受像機ＩＤ２０１、ＩＰアドレス２０２、受像機タイプ２０３についての各情報は、映像配信サーバ１の登録・認証部１１１が、映像受像機３からこれらの情報が含まれる受像機登録要求情報を取得し、携帯端末２を介して取得した個人ＩＤ１０１と紐付けて、受像機情報ＤＢ２００に記憶するものである。
【００１９】
図１に戻り、配信制御部１１２は、携帯端末２が選択した映像情報に基づいて動画データ（番組等）を映像情報ＤＢ３００から取得し、携帯端末２においてユーザが指定した配信先である映像受像機３または携帯端末２へ送信する。
また、配信制御部１１２は、動画データの配信の際に、個人登録情報ＤＢ１００を参照し、性別や年齢、携帯端末２の位置情報等に基づき、最もユーザの属性に適した広告情報を記憶部１２内の広告情報ＤＢ４００から選択し、その広告情報に関する広告映像データ（コマーシャル情報）を配信する。
さらに、配信制御部１１２は、個人登録情報ＤＢ１００に記憶されたユーザの性別や年齢等の属性情報と、視聴履歴ＤＢ５００（後記する図６参照）に記憶された過去の視聴履歴に関する情報とに基づき、映像情報ＤＢ３００から最も適した動画データを選択し、携帯端末２にお勧め情報として配信する。
【００２０】
図４は、本実施形態に係る記憶部１２に記憶される映像情報ＤＢ３００のデータ構成の一例を示す図である。
映像情報ＤＢ３００には、各動画データとともに、動画データごとの固有の番号である映像ＩＤ３０１に関連付けて、映像タイトル３０２、映像時間３０３、制作者３０４、出演者３０５、キーワード３０６〜３０８、ターゲット性別３０９、ターゲット年齢３１０、およびターゲット地域３１１を含む映像情報が記憶される。ここで、キーワード３０６〜３０８は３つに限らず、映像内容によって任意に設定してもよい。また、ターゲット性別３０９、ターゲット年齢３１０、およびターゲット地域３１１は、制作者が主な視聴者として想定するユーザの属性を予め登録するものである。
なお、本実施形態において、動画データは、映像情報ＤＢ３００内に記憶されているものとするが、動画データを記憶する独立したサーバを設けて、映像配信サーバ１の配信制御部１１２の制御により動画データを配信する構成にしてもよい。
【００２１】
図５は、本実施形態に係る記憶部１２に記憶される広告情報ＤＢ４００のデータ構成の一例を示す図である。
広告情報ＤＢ４００には、各広告映像データとともに、広告映像データごとの固有の番号である広告ＩＤ４０１に関連付けて、広告タイトル４０２、映像時間４０３、広告主名４０４、キーワード４０５〜４０７、ターゲット性別４０８、ターゲット年齢４０９、ターゲット地域（配信地域情報）４１０、およびターゲット趣味４１１を含む広告情報が記憶される。ここで、キーワード４０５〜４０７は３つに限らず、広告内容によって任意に設定してもよい。また、ターゲット性別４０８、ターゲット年齢４０９、ターゲット地域４１０、およびターゲット趣味４１１は、広告主が広告を視聴してもらいたいユーザの属性を予め登録するものである。
なお、本実施形態において、広告映像データは、広告情報ＤＢ４００内に記憶されているものとするが、広告映像データを記憶する独立したサーバを設けて、映像配信サーバ１の配信制御部１１２の制御により広告映像データを配信する構成にしてもよい。
【００２２】
また、本実施形態において配信される映像は、配信制御部１１２の制御により、携帯端末２において選択された動画データに、広告映像データが任意の間隔で挿入される方式で配信されるものとする。例えば、動画データが３０分の番組であれば、その３０分の間に３回、１分間の広告映像データが挿入される。
なお、本実施形態において、動画データと広告映像データとを組み合わせた映像を、映像データとして説明する。
【００２３】
図１に戻り、視聴履歴情報収集部１１３は、携帯端末２においてユーザが選択した動画データに関する映像情報と、そのとき配信した広告映像データに関する広告情報を、記憶部１２内の後記する視聴履歴ＤＢ５００に記憶する。
【００２４】
図６は、本実施形態に係る記憶部１２に記憶される視聴履歴ＤＢ５００のデータ構成の一例を示す図である。
視聴履歴ＤＢ５００は、視聴履歴情報収集部１１３が、配信制御部１１２により映像データ（動画データと広告映像データ）を配信した履歴を記憶するテーブルであり、映像データを取得したユーザを特定する個人ＩＤ１０１、映像データを受信した受像機ＩＤ２０１または携帯端末ＩＤ１０３（符号５０１）、動画データに関する映像ＩＤ３０１、広告映像データに関する広告ＩＤ４０１、視聴を開始した日時である視聴日時５０２、動画データの視聴開始からの経過時間５０３、および位置情報５０４を含んで構成される。
なお、経過時間５０３は、配信制御部１が動画データを配信し、ユーザがその動画の視聴を開始した時点からの経過時間が視聴履歴情報収集部１１３により記憶される。動画データの配信が完了し、ユーザの視聴が終了している場合には、視聴履歴情報収集部１１３は、「−１」を入力する。この経過時間５０３を参照することにより、配信制御部１１２は、ユーザが動画データの視聴を完了しているのか、視聴途中であるのかの判定をすることができる。そして、配信制御部１１２は、視聴が停止された時点から動画データの配信処理を再開することができる。
また、位置情報５０４は、携帯端末２が映像配信サーバ１に対して、映像の配信を要求した時点での携帯端末２の位置情報を意味し、詳細は後記する。
【００２５】
図１に戻り、映像・広告情報送信部１１４は、配信制御部１１２の制御により、動画データと広告映像データの配信が終了した後に、その配信した動画データに関するメタ情報（映像の制作者３０４、出演者３０５等のデータ）を映像情報ＤＢ３００から取得し、そのメタ情報とその映像に関連する広告情報を視聴完了情報として、携帯端末２へ送信する。映像・広告情報送信部１１４は、この視聴完了情報を、映像配信サーバ１からＥメール（Electronic Mail）として携帯端末２へ送信してもよいし、携帯端末２が、ユーザの視聴後においても映像配信サーバ１との接続状態を維持している場合には、携帯端末２の表示画面に表示させるようにしてもよい。
【００２６】
この視聴完了情報に含まれる広告情報は、例えば、その広告に関連する商品情報が掲載され、その商品の購入サイトへのリンク情報が付加される。このようにすることで、この購入サイトで商品を購入した場合には、サイト管理者に手数料収入が入るように設定することができる。
【００２７】
次に、通信部１１は、通信ネットワーク４を介して、携帯端末２や映像受像機３から登録要求情報等を受信し、記憶部１２に記憶された動画データ等を、携帯端末２や映像受像機３へ配信する。
【００２８】
記憶部１２は、ハードディスクやフラッシュメモリ等の記憶手段からなり、個人登録情報ＤＢ１００と、受像機情報ＤＢ２００と、映像情報ＤＢ３００と、広告情報ＤＢ４００と、視聴履歴ＤＢ５００とを含んで構成される。
なお、本実施形態において記憶部１２に記憶された各データベースは、その一部または全部のデータベースを、独立したサーバ装置として設けることもできる。その場合、映像配信サーバ１の映像配信制御部１０が、その独立したサーバ装置を介して各情報を制御するようにしてもよい。
【００２９】
メモリ部１３は、ＲＡＭ（Random Access Memory）等の記憶手段からなり、映像配信制御部１０の処理に必要な情報を一時的に記憶する。
【００３０】
入出力部１４は、キーボートやタッチパネル等からなる入力手段と、ディスプレイ等からなる出力手段を含んで構成され、映像配信制御部１０の処理に関する指示を与えたり、処理結果を表示する。
【００３１】
（携帯端末）
携帯端末２は、制御部２０と、通信部２１と、記憶部２２と、メモリ部２３と、入力部２４と、表示部２５と、衛星電波受信部２６とを含んで構成される。
【００３２】
制御部２０は、映像配信サーバ１に対して映像配信要求を行い、映像受像機３または自身の携帯端末２に映像を配信させる指示を、映像配信サーバ１に対して送信する。また、制御部２０は、登録要求部２１１と、情報送信部２１２と、情報受信部２１３と、表示制御部２１４と、位置情報取得部２１５とを含んで構成される。なお、この制御部２０の機能は、例えば携帯端末２の記憶部２２に記憶されたプログラムをＣＰＵがメモリ部２３に展開し実行することで実現される。
【００３３】
登録要求部２１１は、通信部２１および通信ネットワーク４を介して、映像配信を要求するための個人登録要求情報を映像配信サーバ１へ送信する。また、登録要求部２１１は、映像配信サーバ１から個人登録応答情報を受信し、映像受像機３の登録の際に必要となる個人ＩＤ１０１と、パスワード１０２とを取得する。
【００３４】
情報送信部２１２は、通信部２１および通信ネットワーク４を介して、映像配信を要求するためのＷｅｂページ閲覧要求情報や、映像配信要求情報等を映像配信サーバ１へ送信する。
また、情報受信部２１３は、同じく通信部２１および通信ネットワーク４を介して、Ｗｅｂページによる映像選択画面を受信する。また、情報受信部２１３は、映像配信サーバ１から映像データを受信する機能を備える。
【００３５】
表示制御部２１４は、情報受信部２１３が受信した映像配信サーバ１から得た情報を表示部２５に表示させる。
【００３６】
位置情報取得部２１５は、携帯端末２との情報の送受信を行う基地局５により特定される位置情報を取得する。あるいは、位置情報取得部２１５は、後記する衛星電波受信部２６が衛星から受信した情報を取得して、携帯端末２の現在位置を算出する。
なお、この携帯端末２の位置情報は、通信事業者が、どの基地局５で携帯端末２の電波を受信したかということに基づいて把握しているので、衛星電波受信部２６によるＧＰＳ機能がなくても、位置情報を通信事業者に問い合わせることで、取得することが可能である。また、携帯端末２を特定するＩＰアドレスを個人登録要求情報に付加して映像配信サーバ１へ送信させ、映像配信サーバ１の登録・認証部１１１が、そのＩＰアドレスの位置情報を、ＩＰアドレスから位置情報が検索可能な他のサーバ装置に問い合わせることで、携帯端末２の位置情報を取得することもできる。
この位置情報取得部２１５により得られた携帯端末２の位置情報は、ユーザが映像の配信を要求する映像配信要求情報とともに、情報送信部２１２を介して映像配信サーバ１へ送信される。
【００３７】
次に、通信部２１は、通信ネットワーク４を介して、映像配信サーバ１から映像選択画面や、映像データ等を受信する。また、記憶部２２は、ＲＯＭ（Read Only Memory）等の記憶手段からなる。メモリ部２３は、ＲＡＭやフラッシュメモリ等の記憶手段からなり、制御部２０の処理に必要な情報を一時的に記憶する。入力部２４は、キーボートやタッチパネル等からなる入力手段からなり、映像情報の配信に必要な情報の入力を行う。表示部２５は、液晶ディスプレイ等からなる表示手段であり、携帯端末２の操作に必要な情報を表示するとともに、映像配信サーバ１により配信される映像データを表示する。
【００３８】
衛星電波受信部２６は、携帯端末２の現在位置を算出するために必要となる衛星からの電波を受信する。衛星からの電波を受信することでその衛星の位置が求まるとともに、携帯端末２（衛星電波受信部２６）から衛星までの距離（擬似距離）が求まる。そして、４つ以上の衛星からの電波を受信することで、携帯端末２の正確な現在位置が求まる。
【００３９】
（映像受像機）
映像受像機３は、例えば、インターネットに接続可能なＩＰ（Internet Protocol）テレビやＰＣ（Personal Computer）等の映像受信装置（請求項の「ＩＰＴＶ」）であり、制御部３０と、通信部３１と、記憶部３２と、メモリ部３３と、入力部３４と、表示部３５とを含んで構成される。
なお、携帯端末２の操作により、映像配信サーバ１から映像データの配信を受ける映像受像機３は、１つに限定されず、複数の映像受像機３（３ａ，３ｂ，３ｃ，…）を備えていてもよい。
【００４０】
制御部３０は、映像配信サーバ１に対して受像機登録要求を行い、携帯端末２からの指示に基づき、映像配信サーバ１からの映像データを受信する。また、制御部３０は、登録要求部３１１と、情報送信部３１２と、情報受信部３１３と、表示制御部３１４とを含んで構成される。なお、この制御部３０の機能は、例えば映像受像機３の記憶部３２に記憶されたプログラムをＣＰＵがメモリ部３３に展開し実行することで実現される。
【００４１】
登録要求部３１１は、携帯端末２の登録要求部２１１が取得した個人ＩＤ１０１とパスワード１０２とを受像機登録画面を介してユーザから取得し、映像配信を要求するための受像機登録要求情報を生成する。
また、登録要求部３１１は、通信部３１および通信ネットワーク４を介して、生成した受像機登録要求情報を映像配信サーバ１へ送信する。
情報送信部３１２は、通信部３１および通信ネットワーク４を介して、映像データの送信を受けるためのサーバ接続要求を映像配信サーバ１へ送信する。
また、情報受信部３１３は、映像配信サーバ１から映像データ等を受信する機能を備える。
表示制御部３１４は、情報受信部３１３が受信した映像配信サーバ１からの情報を表示部２５に表示させる。
【００４２】
次に、通信部３１は、通信ネットワーク４を介して、映像配信サーバ１から映像データ等を受信する。また、記憶部３２は、ハードディスクやＲＯＭ等の記憶手段からなる。メモリ部３３は、ＲＡＭ等の記憶手段からなり、制御部３０の処理に必要な情報を一時的に記憶する。入力部３４は、リモコンやキーボード等の入力手段からなり、映像データの配信に必要な情報の入力を行う。表示部３５は、液晶ディスプレイ等からなる表示手段であり、映像配信サーバ１により配信される映像データを表示する。
【００４３】
次に、図１〜図６を参照しつつ、図７に沿って、本実施形態に係る映像配信システム６の処理について説明する。
【００４４】
図７は、本実施形態に係る映像配信システム６の処理の流れを示すシーケンス図である。
図７において、まず、携帯端末２の登録要求部２１１は、通信ネットワーク４を介して、映像配信サーバ１の配信制御部１１２の制御によりＵＲＬによって指定されるＷｅｂページにアクセスする。そして、登録要求部２１１は、ユーザ（携帯端末）登録画面を、表示制御部２１４を介して表示部２５に表示させ、動画データの配信を受けるための個人登録要求情報を映像配信サーバ１へ送信する（ステップＳ２０１）。
【００４５】
図８は、本実施形態に係る携帯端末２の表示部２５に表示されるユーザ（携帯端末）登録画面６００の一例を示す図である。図８（ａ）において、ユーザにより、名前、性別、年齢、住所、趣味等の情報がユーザ登録画面６００に入力され、登録ボタンが押下されることで、登録要求部２１１が、映像配信サーバ１に対し、入力したこれらの情報を含む個人登録要求情報を送信する。また、このとき、登録要求部２１１は、携帯端末２に固有の情報である携帯端末ＩＤ１０３を含め、映像配信サーバ１へ送信する。この携帯端末ＩＤ１０３は、携帯端末２の記憶部２２に記憶されている。
【００４６】
図７に戻り、映像配信サーバ１の登録・認証部１１１は、通信部１１を介して取得した個人登録要求情報について、個人ＩＤ１０１とパスワード１０２に関する個人認証情報を生成し、その個人認証情報に紐付けて、個人登録要求情報に基づく各情報を個人登録情報ＤＢ１００に記憶する（ステップＳ１０１）。
【００４７】
続いて、映像配信サーバ１の登録・認証部１１１は、生成した個人認証情報（個人ＩＤ１０１，パスワード１０２）を含む個人登録応答情報を携帯端末２へ送信する（ステップＳ２０２）。
図８（ｂ）は、映像配信サーバ１から個人登録応答情報を受信したときに、携帯端末２の表示部２５に表示されるユーザ登録画面６００を示している。このユーザ登録画面６００には、映像配信サーバ１の登録・認証部１１１が生成した個人ＩＤ１０１とパスワード１０２とが表示される。このようにして、ユーザは、自身の携帯端末２に固有の個人ＩＤ１０１とパスワード１０２とを取得する。なお、パスワードは、ユーザ自身により指定させるようにしてもよい。
【００４８】
図７に戻り、映像受像機３の登録要求部３１１は、通信ネットワーク４を介して、映像配信サーバ１によりＵＲＬによって指定されるＷｅｂページにアクセスする。そして、登録要求部３１１は、受像機登録画面を表示制御部３１４を介して表示部３５に表示させ、動画データの配信を受けるための受像機登録要求を映像配信サーバ１へ送信する（ステップＳ３０１）。
【００４９】
図９は、本実施形態に係る映像受像機３の表示部３５に表示される受像機登録画面７００の一例を示す図である。この受像機登録画面７００において、ユーザが取得した個人ＩＤ１０１とパスワード１０２とが入力され、登録ボタンが押下されると、映像受像機３の登録要求部３１１は、受像機登録要求情報を送信する。また、このとき、登録要求部３１１は、その映像受像機３に関する情報である受像機ＩＤ２０１、ＩＰアドレス２０２、受像機タイプ２０３の情報を含め、映像配信サーバ１へ送信する。受像機ＩＤ２０１、ＩＰアドレス２０２、受像機タイプ２０４の情報は、映像受像機３の記憶部３２に記憶されている。
【００５０】
続いて、映像配信サーバ１の登録・認証部１１１は、映像受像機３から受信した受像機登録要求情報に含まれる個人ＩＤ１０１およびパスワード１０２と、個人登録情報ＤＢ１００に記憶された個人ＩＤ１０１およびパスワード１０２とが一致するか否かを判定する。そして一致する場合には、登録・認証部１１１は、受像機登録要求情報に含まれる各情報を受像機情報ＤＢ２００に記憶する（ステップＳ１０２）。そして、登録・認証部１１１は、受像機情報の登録が完了したことを、受像機登録応答情報として、映像受像機３に送信する（ステップＳ３０２）。
【００５１】
次に、携帯端末２の情報送信部２１２は、通信ネットワーク４を介して、映像配信サーバ１によりＵＲＬによって指定されるＷｅｂページにアクセスすることにより、Ｗｅｂページ閲覧要求を送信する（ステップＳ２０３）。そして、情報受信部２１３は、その応答として、映像配信サーバ１からＷｅｂページ閲覧応答情報を受信し（ステップＳ２０４）、表示制御部２１４を介して表示部２５に映像選択画面を表示させる（ステップＳ２０５）。
【００５２】
図１０は、本実施形態に係る携帯端末２の表示部２５に表示される映像選択画面８００（８００Ａ）の一例を示す図である。図１０に示すように映像選択画面８００（８００Ａ）は、お勧め映像リスト８０１と、検索８０２と、お気に入り映像リスト８０３と、視聴履歴リスト８０４とを含んで構成される。お勧め映像リスト８０１は、映像配信サーバ１の配信制御部１１２が、個人登録情報ＤＢ１００の性別１０５、年齢１０６、住所１０７、趣味１０８の各情報や、過去にそのユーザが映像を視聴した情報である視聴履歴ＤＢ５００の情報を基に、ユーザに適した動画データを、映像情報ＤＢ３００から選択し、その動画データに関する映像タイトル３０２を表示させる。検索８０２は、テキストボックスに、ユーザによりキーワードが入力されることにより、配信制御部１１２が映像情報ＤＢ３００のキーワード３０６〜３０８と照合し、該当した映像情報の映像タイトル３０２を携帯端末２の表示部２５に表示させる。お気に入り映像リスト８０３は、お勧め映像リスト８０１や検索８０２の結果のリストにより、ユーザにより選択された動画データの映像タイトル３０２を、配信制御部１１２がリストとして表示させる。視聴履歴リスト８０４は、配信制御部１１２が視聴履歴ＤＢ５００（図６参照）を参照することにより、ユーザにより過去に視聴された映像ＩＤ３０１に紐付く映像タイトルを表示させる。また、視聴履歴ＤＢ５００の経過時間５０３を参照することにより、ユーザによる動画データの視聴が完了したのか、視聴途中であるかの情報を併せて表示させる。
【００５３】
図７に戻り、ユーザにより、お勧め映像リスト８０１や検索８０２の結果のリスト、お気に入り映像リスト８０３、視聴履歴リスト８０４の中から、視聴したい映像情報の映像タイトル３０２が選択される（ステップＳ２０６）。映像タイトル３０２が選択されると、映像配信サーバ１の配信制御部１１２の制御により、映像受像機３と携帯端末２とのどちらに映像を配信するかの選択画面が携帯端末２の表示部２５に表示され、ユーザによる配信先の選択がなされる（ステップＳ２０７）。
【００５４】
そして、ステップＳ２０７において、ユーザによる配信先の選択がされると、携帯端末２の情報送信部２１２は、その配信先の選択情報、および映像情報（映像タイトル３０２に紐付けられた映像ＩＤ３０１）に加えて、位置情報取得部２１５が取得した携帯端末２のその時点における位置情報５０４を付加し、映像配信要求情報として映像配信サーバ１へ送信する（ステップＳ２０８）。
【００５５】
次に、映像配信要求情報を通信ネットワーク４を介して受信した映像配信サーバ１の配信制御部１１２は、映像配信要求情報に含まれる配信先の選択情報を基に、登録した映像受像機３と携帯端末２のどちらに配信するのかを判定する（ステップＳ１０３）。ここで、携帯端末２に配信すると判定された場合は（ステップＳ１０３→携帯端末）、配信制御部１１２は、映像データ（動画データと広告映像データ）を携帯端末２に配信し（ステップＳ２０９）、映像データを携帯端末２の表示部２５に表示させる（ステップＳ２１０）。
なお、ステップＳ２０６において、視聴履歴リスト８０４の視聴途中の動画データが選択された場合は、配信制御部１１２は、視聴履歴ＤＢ５００の経過時間５０３に示される時間、あるいは、その時点を所定時間遡った時間から動画データの配信を再開させる。
【００５６】
一方、映像受像機３に配信すると判定された場合（ステップＳ１０３→映像受像機）、配信制御部１１２は、携帯端末２の個人ＩＤ１０１に紐付いた映像受像機３が、受像機情報ＤＢ２００に登録されているか否かを判定する（ステップＳ１０４）。そして、配信制御部１１２は、映像受像機３が受像機情報ＤＢ２００に登録されていない場合は（ステップＳ１０４→Ｎｏ）、映像受像機３が登録されていない旨のメッセージとともに、携帯端末２に対して映像データを配信し（ステップＳ２１１）、映像データを携帯端末２の表示部２５に表示させる（ステップＳ２１２）。
【００５７】
一方、映像受像機３が、受像機情報ＤＢ２００に登録されている場合は（ステップＳ１０４→Ｙｅｓ）、配信制御部１１２は、映像受像機３からサーバ接続要求情報を受信したか否かを判定する（ステップＳ１０５）。映像受像機３の情報送信部３１２は、自身の受像機ＩＤ２０１およびＩＰアドレス２０２を含むサーバ接続要求情報を所定の間隔ごとに映像配信サーバ１へ送信する（ステップＳ３０３）。つまり、映像受像機３が映像配信を受けることが可能な状態であることを、映像配信サーバ１へ送信する。
【００５８】
ステップＳ１０５において、映像配信サーバ１の配信制御部１１２が、映像受像機３からのサーバ接続要求情報を所定の間隔が経過しても受信していないと判定した場合は（ステップＳ１０５→Ｎｏ）、映像受像機３と接続できない旨のメッセージとともに、携帯端末２に対して映像データを配信し（ステップＳ２１３）、映像データを携帯端末２の表示部２５に表示させる（ステップＳ２１４）。
【００５９】
一方、ステップＳ１０５において、配信制御部１１２が、サーバ接続要求情報を受信したと判定した場合は（ステップＳ１０５→Ｙｅｓ）、配信制御部１１２は、映像受像機３に対して映像データを配信（ステップＳ３０４）し、映像データを映像受像機３の表示部３５に表示させる（ステップＳ３０５）。
なお、登録した映像受像機３が複数存在する場合は、配信制御部１１２は、各映像受像機３（３ａ，３ｂ，３ｃ，…）に対して映像データを配信し、各映像受像機３の表示部３５に映像データを表示させる。さらに、ステップＳ２０７において、ユーザにより映像受像機３に対して映像データを配信させることが選択された場合に、配信制御部１１２は、複数登録された映像受像機３（３ａ，３ｂ，３ｃ，…）の中から、どの映像受像機３に配信させるかの選択画面を表示させ、ユーザにより決定された映像受像機３のみに映像データを配信させるようにすることもできる。
また、映像データが映像受像機３の表示部３５に表示される際、配信制御部（遠隔操作画面表示処理部）１１２は、その映像データを操作するための映像操作画面を携帯端末２に表示させる（ステップＳ２１５）。
【００６０】
図１１は、本実施形態に係る携帯端末２の表示部２５に表示される映像操作画面（遠隔操作画面）９００の一例を示す図である。図１１に示すように映像操作画面９００は、映像データとして再生中である動画データの映像タイトル３０２が配信映像の映像タイトル９０１として表示される。また、映像操作画面９００は、映像の再生、早送り、巻き戻し、一時停止等の操作を制御する動画操作部９０２と、映像選択画面８００に遷移し表示させる映像選択画面ボタン９０３とを備える。
映像受像機３の表示部３５に表示された映像データは、ユーザにより携帯端末２の映像操作画面９００に設けられた動画操作部９０２が操作されることで、その操作情報が情報送信部２１２により映像配信サーバ１へ送信され、映像配信サーバ１の配信制御部（操作要求処理部）１１２の制御により、早送りや巻き戻し等がなされる。また、映像選択画面ボタン９０３がユーザにより押下されると、その操作情報が情報送信部２１２により映像配信サーバ１へ送信され、配信制御部１１２が映像選択画面８００を携帯端末２の表示部２５に表示する。そしてさらに、ユーザにより新たな動画データが選択されると、映像受像機３に表示された映像データを、配信制御部１１２の制御により、他の映像データに切り替えることができる。
【００６１】
図７に戻り、映像データの配信が開始されると、映像配信サーバ１の視聴履歴情報収集部１１３は、配信した動画データに関する映像情報と広告映像データに関する広告情報とを視聴履歴ＤＢ５００に記憶する（ステップＳ１０６）。
【００６２】
次に、映像・広告情報送信部１１４は、映像データの配信が終了すると、配信した映像の制作者、出演者等のメタ情報を映像情報ＤＢ３００から取得し、広告情報ＤＢ４００から取得した広告情報とともに、視聴完了情報として携帯端末２へ配信する（ステップＳ２１６）。
なお、この視聴完了情報を取得したユーザが、視聴履歴情報に含まれる広告情報に基づいて、その広告に関する企業のサイトを開いたり、商品の購入等を行った場合に、そのユーザに対して、ポイントを付加するサービスを提供することもできる。
【００６３】
このようにすることで、本実施形態にかかる映像配信サーバ１、映像配信方法、および映像配信システム６は、従来行われているように携帯端末２から直接映像受像機３への操作要求を送信させて、映像受像機３の映像データの制御を行うのではなく、映像受像機３に表示される映像データを、ネットワーク経由で、携帯端末２から遠隔操作することを可能にする。また、携帯端末２から個人登録情報を映像配信サーバ１が取得することで、ユーザの属性に適した広告情報を配信することが可能となる。さらに、携帯端末２からユーザの位置情報を取得することにより、ユーザの現在位置に即した広告情報を配信することも可能となる。
【００６４】
また、本実施形態に係る映像配信システム６によれば、例えば、映像ＩＤ３０１および映像タイトル３０２に対応付けた映像情報ごとに一意のＵＲＬ文字列（例えばhttp//www.goomo.tv/movie/83778472）を付し、ユーザが他のユーザに対し、そのＵＲＬ文字列をメールに記載して送信する。このようにすることで、他のユーザは、携帯端末上で当該ＵＲＬを選択すると、ブラウザが開き、その映像情報の視聴をすることができる。
【００６５】
また、本実施形態に係る映像配信システム６は、さらに以下の機能を備えることができる。複数の映像受像機３（３ａ，３ｂ，３ｃ，…）が設置された施設、例えば家電量販店や、講演会場、教室等において、映像受像機３に表示された映像データを、ユーザが１つの携帯端末２を用いて同時に操作し、映像データの再生、映像データの切り替えを容易に行うことができる。
【００６６】
従来の映像配信システムでは、例えば、ホテル等において利用されているように、テレビ等の映像受像機に接続するＳＴＢ（Set Top Box）を設ける必要があったり、家庭内等で利用される場合であっても、特別なルータを設置することと、機器に専用のソフトウェアをダウンロードして記憶させることが必要であった。
本実施形態に係る映像配信システム６においては、映像配信サーバ１がインターネット回線を利用して、操作画面を携帯端末２や映像受像機３に表示させることにより、従来のＳＴＢ等の設置や専用ソフトウェアのダウンロードを行わずに、容易に映像配信を行うことが可能となる。さらに、個人登録情報ＤＢ１００により携帯端末２を所有するユーザが特定されることで、動画データの配信を映像配信サーバ１から受けた場合の課金を、携帯端末２を用いたＥＣ（Electronic Commerce）決済で行うことができる。このようにすることで、特別な料金徴収システムを設ける必要なく映像配信等を行うことができる。加えて、このようなシステムを用いて、新しいテレビ番組や映画等の企画コンテンツに出資してもらうコンテンツファンドのサービスをユーザに対して提供することも可能となる。
【００６７】
（実施形態２）
次に、本実施形態に係る映像配信システム６の変形例について説明する。実施形態１においては、個々のユーザは、他のユーザが行う映像の視聴等に関する情報を取得するものではない。以下において説明する実施形態２においては、映像配信サーバ１に登録したユーザと、他のユーザとが、映像情報等の共有を行えることを特徴とする。
【００６８】
図１２は、本実施形態に係る映像配信システム６（６Ｂ）の構成例を示す機能ブロック図である。図１の本実施形態に係る映像配信システム６（６Ａ）との違いは、映像配信サーバ１の映像配信制御部１０の中に、メンバ情報処理部１１５が設けられ、記憶部１２の中に、メンバ登録ＤＢ１５０が設けられていることである。
【００６９】
メンバ情報処理部１１５は、携帯端末２の表示部２５に表示される映像選択画面８００（後記する図１４参照）に設けられた「登録・申請」ボタンが押下されることにより、メンバ登録・申請画面を表示させ、後記するメンバ登録ＤＢ１５０を生成する。
【００７０】
図１３は、本実施形態に係る記憶部１２に記憶されるメンバ登録ＤＢ１５０のデータ構成の一例を示す図である。
メンバ登録ＤＢ１５０は、他のユーザとの情報の共有を申請する主体となる申請ユーザ１５１の個人ＩＤ１０１、申請を受けた客体となる被申請ユーザ１５２の個人ＩＤ１０１、申請ユーザ１５１が申請を要請した日時である更新日時１５３、および申請内容１５４を含んで構成される。ここで、申請内容１５４は、他のユーザとの情報共有を要請する「登録申請」と、他のユーザによる情報共有の許可を意味する「登録受理」、共有の不許可を意味する「登録却下」、そして「登録受理」のメンバ登録の取り消しを意味する「登録破棄」を記憶する。
【００７１】
また、図１４は、本実施形態に係る携帯端末２の表示部２５に表示される映像選択画面８００の変形例を示す図である。図１４に示す映像選択画面８００（８００Ｂ）は、図１０に示す映像選択画面８００（８００Ａ）の構成に加えて、メンバ情報リスト８０５が付加されている。
メンバ情報処理部１１５は、メンバ登録ＤＢ１５０に基づき、同一の申請ユーザ１５１に係る個人ＩＤ１０１と被申請ユーザ１５２に係る個人ＩＤ１０１との組み合わせにうち、更新日時が最新のレコードの申請内容１５４が、「登録受理」の状態である他のユーザに関する情報を、配信制御部１１２を介して、映像選択画面８００（８００Ｂ）のメンバ情報リスト８０５に表示させる。
【００７２】
メンバ情報リスト８０５には、メンバ登録・申請画面を表示させるための「登録・申請」ボタンと、メンバ登録ＤＢ１５０で登録された他のユーザの視聴状態が表示される。この視聴状態は、メンバ情報処理部１１５が記憶部１２内の個人登録情報ＤＢ１００（図２参照）の視聴状態１０９を参照することにより取得し、ユーザは、他のユーザが現時点で映像データを視聴しているか否かを認識することができる。さらに、メンバ情報処理部１１５は、ユーザによりメンバ情報リスト８０５の他のユーザ名が選択されると、他のユーザの個人ＩＤ１０１に紐付けられた映像ＩＤ３０１を視聴履歴ＤＢ５００（図６）を参照することにより抽出し、その映像ＩＤ３０１の映像タイトル３０２（図４参照）等を携帯端末２の表示部２５に表示させることができる。
【００７３】
このようにすることで、例えばメンバ登録ＤＢ１５０に登録した他のユーザである友人や子供等が、今現在どの映像を視聴しているかの情報をリアルタイムに共有することができる。さらに、メンバ情報処理部１１５が他のユーザの視聴履歴ＤＢ５００を参照し、他のユーザの視聴履歴リスト８０４を映像選択画面８００（８００Ｂ）に表示させることで、他のユーザが視聴した動画データに関する情報を共有することも可能となる。
【００７４】
（実施形態３）
実施形態１および実施形態２においては、映像配信サーバ１が携帯端末２の表示部２５に表示させたユーザ（携帯端末）登録画面６００（図８参照）にユーザが名前や住所等の個人情報を入力することで、映像配信サーバ１の登録・認証部１１１が個人認証情報（個人ＩＤ１０１とパスワード１０２）を生成し、携帯端末２に個人認証情報が送信されるものとした。しかし、不特定多数のユーザが利用するホテルや講演会場などでは、個人情報の登録をユーザが敬遠することが考えられる。
【００７５】
そのような場合、施設事業者が、例えば１回限りの個人認証情報である使い捨ての個人ＩＤ１０１とパスワード１０２とを、その施設事業者が運営するインターネット上のサイトにおいて発行し、ユーザは、その個人認証情報を用いて、ＴＶ操作用のサーバ装置１で認証を行う。そして、映像を操作するための遠隔操作画面をユーザの携帯端末２に表示させ、施設事業者により予めサーバ装置１に登録されたＩＰＴＶ３の映像情報を操作する構成にすることもできる。
【００７６】
このようにすることで、ユーザは、個人情報を施設事業者に報知することなく、サーバ装置１に記憶された映像データを、ＩＰＴＶ３において視聴し、ユーザが備え持つ携帯端末２において操作することが可能となる。
【００７７】
（実施形態４）
次に、本実施形態１の変形例として、１つの携帯端末２に関して複数の映像受像機３（３ａ，３ｂ，３ｃ，…）が設定される場合、また、1つの映像受像機３に関して複数の携帯端末２が設定される場合について具体的に説明する。
【００７８】
図１５は、本実施形態に係る映像配信システム６（６Ｃ）の構成例を示す機能ブロック図である。図１の本実施形態１に係る映像配信システム６（６Ａ）との違いは、映像配信サーバ（ＴＶ操作用のサーバ装置）１の記憶部１２の中に、対応関係情報ＤＢ２５０が記憶されていることである。
【００７９】
図１６は、本実施形態に係る対応関係情報ＤＢ２５０のデータ構成例を示す図である。
図１６（ａ）は、１つの携帯端末２に対応付けられる映像受像機３が記憶される第１の対応関係情報２５１を示している。映像配信サーバ１の登録・認証部１１１は、携帯端末ＩＤ１０３に紐付けられた個人ＩＤ１０１に対応する受像機ＩＤ２０１を、受像機情報ＤＢ２００（図３参照）に基づき、検索し抽出することで、この第１の対応関係情報２５１を生成することができる。
【００８０】
図１６（ｂ）は、１つの映像受像機３に対応付けられる携帯端末２が記憶される第２の対応関係情報２５２を示している。映像配信サーバ１の登録・認証部１１１は、受像機ＩＤ２０１に対応する個人ＩＤ１０１（携帯端末ＩＤ１０３）を、受像機情報ＤＢ２００（図３参照）に基づき、検索し抽出することで、この第２の対応関係情報２５２を生成することができる。
また、サーバ装置１の制御によりＩＰＴＶ３の表示部３５に表示された個人認証情報の登録のための遠隔操作画面において、例えば、複数の携帯端末２を登録するラジオボタン等を設け、このラジオボタンがユーザにより選択されると、複数の携帯端末２を一度に１つのＩＰＴＶ３に対応付けて入力できる操作画面が表示される。そして、ユーザにより複数の携帯端末２が登録されることで、第２の対応関係情報２５２を生成するようにしてもよい。
【００８１】
映像配信サーバ１の配信制御部（操作要求処理部）１１２は、登録された１つの携帯端末２から映像受像機（ＩＰＴＶ）３への操作要求を取得した場合に、第１の対応関係情報２５１（図１６（ａ））を参照し、登録された複数の映像受像機３の制御を行うことができる。
このようにすることで、家電量販店や、講演会場、教室等において、複数の映像受像機３に表示された映像データの制御を、ユーザが１つの携帯端末２を用いて同時に行うことができる。
【００８２】
また、映像配信サーバ１の配信制御部（操作要求処理部）１１２は、登録された複数の携帯端末２から１つの映像受像機３への操作要求を取得した場合に、第２の対応関係情報２５２（図１６（ｂ））を参照し、映像受像機３の制御を行うことができる。さらに、配信制御部（操作要求処理部）１１２は、その映像受像機３を操作対象としている携帯端末２を、第２の対応関係情報２５２を参照して、映像受像機３の表示部３５に表示させることができる。
このようにすることで、ユーザは、１つの映像受像機３を複数の携帯端末２を用いて操作することが可能となる。そして、登録された映像受像機３に関して、どの携帯端末２を用いて操作可能であるかを、配信制御部（操作要求処理部）１１２が映像受像機３の表示部３５に表示させ、ユーザに確認させることが可能となる。
【００８３】
また、１つの映像受像機３を複数の携帯端末２を用いて操作する場合に、第２の対応関係情報２５２に記憶された複数の携帯端末２に優先順位を設けて、配信制御部（操作要求処理部）１１２が制御することもできる。例えば、携帯端末２から取得した位置情報に基づき、映像受像機３に近い携帯端末２を優先させることができる。このようにすることで、映像受像機３から、離れたユーザの携帯端末２の操作による誤操作を防止することができる。一方、携帯端末２から取得した位置情報に基づき、映像受像機３に遠い携帯端末２を優先させることができる。このようにすることで、例えば、複数の会場での遠隔授業の際に、離れた場所にいるユーザの携帯端末２の操作を優先させることができる。なお、この場合、映像受像機（ＩＰＴＶ）３の位置情報は、例えば、ＩＰアドレスから位置情報が検索可能なサーバ装置へ問い合わせることで取得する。また、ＧＰＳ機能があるものであれば、その機能により位置情報を取得できる。
なお、複数の映像受像機３と複数の携帯端末２とを対応付けるように対応関係情報ＤＢ２５０を生成するようにしてもよい。
【符号の説明】
【００８４】
１      映像配信サーバ（サーバ装置）
２      携帯端末
３      映像受像機（ＩＰＴＶ）
４      通信ネットワーク（ＩＰ網）
５      基地局
６      映像配信システム
１０    映像配信制御部
１１，２１，３１  通信部
１２，２２，３２  記憶部
１３，２３，３３  メモリ部
１４    入出力部
２０，３０  制御部
２４，３４  入力部
２５，３５  表示部
２６    衛星電波受信部
１００  個人登録情報ＤＢ
１１１  登録・認証部
１１２  配信制御部（遠隔操作画面表示処理部、操作要求処理部）
１１３  視聴履歴情報収集部
１１４  映像・広告情報送信部
１１５  メンバ情報処理部
１５０  メンバ登録ＤＢ
２００  受像機情報ＤＢ
２５０  対応関係情報ＤＢ
２１１，３１１  登録要求部
２１２，３１２  情報送信部
２１３，３１３  情報受信部
２１４，３１４  表示制御部
２１５  位置情報取得部
３００  映像情報ＤＢ
４００  広告情報ＤＢ
５００  視聴履歴ＤＢ
６００  ユーザ（携帯端末）登録画面
７００  受像機登録画面
８００  映像選択画面（遠隔操作画面）
９００  映像操作画面（遠隔操作画面）
【図１】
2010166168.tif 000003
【図２】
2010166168.tif 000004
【図３】
2010166168.tif 000005
【図４】
2010166168.tif 000006
【図５】
2010166168.tif 000007
【図６】
2010166168.tif 000008
【図７】
2010166168.tif 000009
【図８】
2010166168.tif 000010
【図９】
2010166168.tif 000011
【図１０】
2010166168.tif 000012
【図１１】
2010166168.tif 000013
【図１２】
2010166168.tif 000014
【図１３】
2010166168.tif 000015
【図１４】
2010166168.tif 000016
【図１５】
2010166168.tif 000017
【図１６】
2010166168.tif 000018